(57)【要約】【課題】従来、特別遊技状態に移行するための抽選や二次抽選の結果を変動表示装置で知らせていたが、変動表示装置のみによる演出には限界があった。【解決手段】所定条件の成立により特別遊技状態に移行し、その特別遊技状態からさらに所定条件の成立により大当り遊技状態に移行するようになっており、次の（ａ）〜（ｃ）の要件を備えた変動入賞装置を遊技領域に設置してなる遊技機を提供する。（ａ）遊技球が入賞する入賞室を塞いで遊技球の入賞を困難又は不能にする閉位置と、落下する遊技球を受け止めて前記入賞室へ導く開位置とに変化する開閉部材１５を設ける。（ｂ）閉じた開閉部材１５で目隠しされ且つ開閉部材１５が開いた状態で視認可能な入賞室の任意の場所又は開閉部材１５の裏側に表示装置２２を設ける。（ｃ）表示装置２２は、前記大当り遊技状態への移行を遊技者に報知する表示を行う。【選択図】        図１
2007117648.tif 000002
【特許請求の範囲】
【請求項１】
所定条件の成立により特別遊技状態に移行し、その特別遊技状態からさらに所定条件の成立により大当り遊技状態に移行するようになっている遊技機であって、次の（ａ）〜（ｃ）の要件を具備する変動入賞装置を遊技板の遊技領域に設置してなることを特徴とする遊技機。
（ａ）遊技球が入賞する入賞室を塞いで遊技球の入賞を困難又は不能にする閉位置と、落下する遊技球を受け止めて該遊技球を前記入賞室へ導く開位置とに変化する開閉部材を設ける。
（ｂ）閉じた開閉部材で目隠しされ且つ開閉部材が開いた状態で視認可能な入賞室の任意の場所又は開閉部材の裏側に表示装置を設ける。
（ｃ）前記表示装置は、前記大当り遊技状態への移行を遊技者に報知する表示を行う。
【請求項２】
前記表示装置は、
スリットと該スリット以上の幅である遮蔽帯とを交互且つ定ピッチに形成してなるスリットシートと、
該スリットシートの下に重ねた表示体と、
スリットシートのスリット部分の幅と間隔に対応させて表示体上面に設定した縞状表示領域と、
該縞状表示領域に施した文字、図形、記号等の表示物と、
前記開閉部材の少なくとも開運動をスリットシート及び／又は表示体を前記スリットと直交する方向の運動に変換する運動変換手段と、
前記表示体を初期位置に復動させる復動手段と、
から構成したものであることを特徴とする請求項１記載の遊技機。
【請求項３】
前記表示装置は、
透明板に対しＡ色の波長を透過しＢ色の波長を透過し難い色で色分けした表示物と、
前記透明板に対しＢ色の波長を透過しＡ色の波長を透過し難い色で色分けした表示物と、
前記透明板の裏側に重合配置され前記Ａ色とＢ色を選択的に発光可能なバックライトと、
からなる表示体を備えたものであることを特徴とする請求項１又は２記載の遊技機。
【請求項４】
前記２つの表示物同士の一部を重ならせてその重なり部分を無色透明にしてなることを特徴とする請求項３記載の遊技機。
【発明の詳細な説明】
【技術分野】
【０００１】
本発明は、パチンコ機、雀球機、アレンジボール機等、遊技球を使用して遊技を行う遊技機に関する。
【背景技術】
【０００２】
所定条件の成立により特別遊技状態に移行し、その特別遊技状態からさらに所定条件の成立により大当り遊技状態に移行するようになっている遊技機が従来よりある。例えば、始動入賞口への入賞を条件に液晶等の変動表示装置の表示を変動させ、その表示が「７，７，７」等の同一数字や果物等の同一図柄で停止した場合に、大型の変動入賞装置を所定のパターンで作動させる特別遊技状態に移行し、その特別遊技状態の利益の中からさらに抽選（以下二次抽選という。）を行って当たりである場合に、前記特別遊技状態への移行確率を一時的に高くする（いわゆる確変）、というような大当り遊技状態に移行させるのである。
【発明の開示】
【発明が解決しようとする課題】
【０００３】
特別遊技状態に移行する抽選や前記二次抽選は、遊技機に付属の制御装置で行われており、前記変動表示装置はその結果を遊技者に知らせるための道具である。近年、画像処理技術や液晶ディスプレイの発達により、凝った演出で当たりや二次抽選の大当りを知らせることができるが、変動表示装置のみによる演出には限界があり、また、遊技者が変動表示装置を凝視するあまり目が疲れやすい、という問題があった。
【課題を解決するための手段】
【０００４】
所定条件の成立により特別遊技状態に移行し、その特別遊技状態からさらに所定条件の成立により大当り遊技状態に移行するようになっている遊技機であって、次の（ａ）〜（ｃ）の要件を具備する変動入賞装置を遊技板の遊技領域に設置してなる遊技機を提供する。
（ａ）遊技球が入賞する入賞室を塞いで遊技球の入賞を困難又は不能にする閉位置と、落下する遊技球を受け止めて該遊技球を前記入賞室へ導く開位置とに変化する開閉部材を設ける。
（ｂ）閉じた開閉部材で目隠しされ且つ開閉部材が開いた状態で視認可能な入賞室の任意の場所又は開閉部材の裏側に表示装置を設ける。
（ｃ）前記表示装置は、前記大当り遊技状態への移行を遊技者に報知する表示を行う。
【０００５】
また、請求項２のように、前記表示装置は、スリットと該スリット以上の幅である遮蔽帯とを交互且つ定ピッチに形成してなるスリットシートと、該スリットシートの下に重ねた表示体と、スリットシートのスリット部分の幅と間隔に対応させて表示体上面に設定した縞状表示領域と、該縞状表示領域に施した文字、図形、記号等の表示物と、前記開閉部材の少なくとも開運動をスリットシート及び／又は表示体を前記スリットと直交する方向の運動に変換する運動変換手段と、前記表示体を初期位置に復動させる復動手段と、から構成したものである請求項１記載の遊技機を提供する。
【０００６】
また、請求項３のように、前記表示装置は、透明板に対しＡ色の波長を透過しＢ色の波長を透過し難い色で色分けした表示物と、前記透明板に対しＢ色の波長を透過しＡ色の波長を透過し難い色で色分けした表示物と、前記透明板の裏側に重合配置され前記Ａ色とＢ色を選択的に発光可能なバックライトと、からなる表示体を備えたものである請求項１又は２記載の遊技機を提供する。
【０００７】
また、請求項４のように、前記２つの表示物同士の一部を重ならせてその重なり部分を無色透明にしてなる請求項３記載の遊技機を提供する。
【発明の効果】
【０００８】
本発明の遊技機は、大当り遊技の抽選の結果を遊技者に報知する表示装置を、変動入賞装置の入賞室の任意の場所であって閉じた開閉部材で目隠しされる場所又は開閉部材の裏側に設けたため、大当りであるか否かの結果が変動入賞装置の開閉部材が開くまで判らない。従って遊技者は、変動入賞装置の開閉部材が開くのを期待を込めて見守り、その結果を見て一喜一憂することになる。よって本発明の遊技機は遊技の興趣増大に優れた効果を発揮する。また、遊技者は、変動表示装置から変動入賞装置へ、また、変動入賞装置から変動表示装置へと視点を移すため、目の適宜な運動が疲れ予防の効果を発揮する。
【０００９】
また、請求項２の遊技機は、変動入賞装置の開閉部材が開くと運動変換手段が作動してスリットシート及び／又は表示体をスリットシートのスリットと直交する方向に動かすため、表示体の縞状表示領域に施した表示物がスリットシート越しに見え隠れする。従って表示装置の表示に動的な変化を生じさせることができる。
【００１０】
また、請求項３の遊技機は、変動入賞装置において表示装置のバックライトをＡ色とＢ色の何れかを選択的に発光させると、例えばＡ色の発光で第１の表示物が、また、Ｂ色の発光で第２の表示物が発光して見えるため、きわめて簡単な構成でありながら２つの表示物の切り替えが可能である。
また、無色透明な部分はＡ色とＢ色のどちらの波長も透過するため、請求項４のように２つの表示物同士の一部を重ならせてその重なり部分を無色透明にすれば、その部分が、Ａ色による表示物のときにはその一部としてＡ色に発光し、Ｂ色による表示物のときにはその一部としてＢ色に発光する。従って２つの表示物同士を重ならせてコンパクトに表示することができる。
【発明を実施するための最良の形態】
【００１１】
［実施形態１］
以下に本発明の実施形態１を、パチンコ機を例に説明する。なお、図１は変動入賞装置の要部を示す斜視図、図２は図１の分解斜視図、図３は変動入賞装置の正面図、図４は変動入賞装置の縦断面図、図５は変動入賞装置の横断平面図、図６は図４の開閉部材を開いた状態を示す変動入賞装置の縦断面図、図７は図５の開閉部材を開いた状態を示す変動入賞装置の横断平面図、図８は図７のＸ−Ｘ線断面図、図９は図５の開閉部材の開閉途中の段階を示す変動入賞装置の横断平面図、図１０（ａ）は表示体の正面図、図１０（ｂ）はスリットシートの正面図、図１０（ｃ），（ｄ）は表示体にスリットシートを重ねた状態の正面図、図１１はパチンコ機の正面図である。
【００１２】
［パチンコ機］
パチンコ機１は図１１に示したように、外枠（図示せず）の前面にヒンジ金具２ａ，２ｂで軸着した開閉可能な前枠３と、その前枠３に着脱自在に装着した遊技板４と、その遊技板４の前面を覆う開閉可能なガラス扉５と、ガラス扉５の下に位置し前枠３に開閉可能に装着した前面板６と、該前面板６に形成した上球皿７と、前記前枠３の下部前面に突設した下球皿８と、下球皿８の横に設けた打球勢調節用のハンドル９と、前枠３の裏側に設置した制御装置（図示せず）と、から概略構成される。
【００１３】
前記遊技板４の前面にはガイドレール１０で略円形に囲った遊技領域１１が形成されており、その遊技領域１１に例えば液晶ディスプレイである変動表示装置１２と、遊技球の入賞により特別遊技状態への移行に関する抽選を開始させる始動入賞口１３と、ソレノイド１４等の駆動源で開閉部材１５を開閉させて遊技球の入賞確率を変化させる変動入賞装置１６等が設けられている。なお、遊技領域１１にはその他にも、遊技球を回収するアウト球口１７が最下部に設けてあり、また図示しないが、遊技球の落下方向を変える障害釘や風車等が設けられている。
【００１４】
［変動入賞装置］
変動入賞装置１６は、遊技板４の正面に取り付く取付基盤１８と、該取付基盤１８に開設した横長長方形状の開口１９と、その開口１９を開閉する開閉部材１５と、取付基盤１８の裏側に突設され前記開口１９に対応する入賞室２０を有する案内箱２１と、前記開閉部材１５の駆動源たるソレノイド１４と、二次抽選による大当り遊技状態への移行を遊技者に報知する表示装置２２と、から概略構成される。
【００１５】
［変動入賞装置−開閉部材］
前記開閉部材１５は、取付基盤１８の開口１９にほぼ合致する横長長方形の扉板であって、自己の下部両横に突設した短軸２３，２３を取付基盤１８に軸着し、もって取付基盤１８に対し下開き可能な状態に取り付けられる。該開閉部材１５は、図４，図５のように起立して入賞室２０を塞ぐ閉位置と、図６，図７のようにほぼ水平に傾倒して遊技領域を落下する遊技球を入賞室２０へと導く開位置とに変化する。
【００１６】
［変動入賞装置−案内箱］
案内箱２１は、取付基盤１８の裏側に突設され、前記開口１９とほぼ同じ間口×高さとほぼ遊技球１個分強の奥行きである入賞室２０を有し、該入賞室２０の正面向かって右寄りの奥に遊技球の落下口２４がある。そしてその落下口２４の下に球通過センサー２５が取り付けられており、該球通過センサー２５によって入賞室２０に入賞した遊技球が検出され、その情報が前記制御装置に送られる。
【００１７】
［変動入賞装置−駆動源たるソレノイド］
ソレノイド１４は、前記案内箱２１の正面向かって左側の機構室２６に取り付けられている。該ソレノイド１４のプランジャ１４ａは、取付基盤１８と直交する方向に向けられており、電磁コイル１４ｂに通電しない消磁状態でスプリング１４ｃの付勢により図５のように取付基盤１８側に突出し、電磁コイル１４ｂに通電した励磁状態で電磁コイル１４ｂ内に吸引され図７のように取付基盤１８から遠ざかる。
【００１８】
［変動入賞装置−ソレノイドと開閉部材］
前記開閉部材１５とソレノイド１４は揺動自在なＬ型レバー２７で連結され、該Ｌ型レバー２７によりプランジャ１４ａの往復直線運動を開閉部材１５の開閉運動に変換する。すなわちＬ型レバー２７は、２本の係合ピン２７ａ，２７ａを突設した上向き片２７ｂと、１本の作動ピン２７ｃを突設した横向き片２７ｄで構成され、上向き片２７ｂと横向き片２７ｄの間のコーナー部が機構室２６内に揺動軸２７ｅで軸着されている。そして、上向き片２７ｂの係合ピン２７ａ，２７ａがプランジャ１４ａの先端に係合し、一方、横向き片２７ｄの作動ピン２７ｃが開閉部材１５の短軸２３より下側に延設した弧状片１５ａに係合する。
【００１９】
従って電磁コイル１４ｂが消磁しプランジャ１４ａが突出している状態では、Ｌ型レバー２７の横向き片２７ｄが作動ピン２７ｃを下げ、その作動ピン２７ｃが開閉部材１５の弧状片１５ａを押し下げて開閉部材１５を閉位置に起立させ、一方、電磁コイル１４ｂが励磁しプランジャ１４ａが吸引されている状態では、Ｌ型レバー２７の横向き片２７ｄが作動ピン２７ｃを上げて弧状片１５ａの押圧を解き、開閉部材１５が自己のバランスにより開位置に傾倒する。
【００２０】
［変動入賞装置−表示装置］
表示装置２２は、二次抽選の結果を遊技者に報知するためのものであり、発光構造の表示体２２ａに二次抽選の結果が大当りであることを表示する図形（例えば星マーク）の表示物２２ｂを表示し、該表示物２２ｂの発光、非発光により遊技者に結果を報知する。この表示体２２ａは、図４に示したように、入賞室２０の底面に設けられており、従って閉じた開閉部材１５で目隠しされ且つ開閉部材１５が開いた状態で視認可能となる。
【００２１】
なお、本実施形態の表示装置２２には表示体２２ａの表示に動的な変化をもたらすための工夫が施されている。すなわち、表示装置２２は図２に示したように、真っ直ぐなスリット２２ｃと該スリット２２ｃと同幅である遮蔽帯２２ｄとを交互且つ定ピッチに形成してなるスリットシート２２ｅを前記表示体２２ａの上面に重ね、該スリットシート２２ｅを入賞室２０に固定すると共に表示体２２ａをスリット２２ｃと直交する方向に摺動自在となし、さらに開閉部材１５の開運動をスリット２２ｃと直交する方向の運動に変換する運動変換手段２８で前記表示体２２ａを摺動させると共に該表示体２２ａを復動手段２９により初期位置に復動させるようにしたものである。以下、この表示装置２２の詳細について説明する。
【００２２】
［変動入賞装置−表示装置−表示体］
前記表示体２２ａは図２、図４、図５等に示したように、入賞室２０の下方に突き抜ける受力突片２２ｆを有し、該受力突片２２ｆを入賞室２０の下面に固着したガイド枠３０に収めて摺動自在に支持される。なお、ガイド枠３０には前記復動手段２９たる低反発弾性体が若干圧縮された状態に充填されており、該低反発弾性体の復元弾性により受力突片２２ｆが軽く押圧され、その力で表示体２２ａが初期位置に安定する。なお、低反発弾性体は、例えば発泡剤、整泡剤、触媒等を撹拌混合し発泡させた公知の軟質ポリウレタンであり、現在、布団や枕等に使われている低反発素材がそのまま使用できるのであって、圧縮させて外力を取り除いた後、ゆっくりと元に戻る性質の素材であればどのようなものでもよい。
【００２３】
表示体２２ａの表示物２２ｂは、図１０（ａ）に示したように、スリットシート２２ｅのスリット２２ｃ部分の幅と間隔に対応させて表示体２２ａ上面に設定した縞状表示領域（実施形態１ではスリット２２ｃと遮蔽帯２２ｄが同幅であるため縞状表示領域は２組分存在する。）の一方に形成し、もう一方の縞状表示領域を空白にしたため、べた塗り状態ではなくスリット２２ｃと同間隔の縞状になっている。従って表示体２２ａが初期位置にあるときスリットシート２２ｅのスリット２２ｃに表示体２２ａの表示物２２ｂが対応し、表示物２２ｂが発光している場合には図１０（ｃ）のようにスリットシート２２ｅ越しに表示物２２ｂが見える。一方、表示体２２ａが摺動してスリットシート２２ｅの遮蔽帯２２ｄと表示体２２ａの表示物２２ｂが重なると、図１０（ｄ）のように表示物２２ｂが遮蔽帯２２ｄの下に隠れて見えなくなる。なお、図１０（ｄ）は空白の縞状表示領域がスリット２２ｃに対応している状態と言い換えることもできる。
【００２４】
［変動入賞装置−表示装置−運動変換手段］
運動変換手段２８は、開閉部材１５の開運動を前記表示体２２ａの摺動運動に変換するものであって、前記ソレノイド１４のプランジャ１４ａ先端に軸着したリンク２８ａと、機構室２６の側壁２６ａを貫通し先端が前記表示体２２ａの受力突片２２ｆに接触する摺動自在なスライダ２８ｂと、機構室２６の反対側の側壁２６ｂに固定した固定リンク２８ｃと、該固定リンク２８ｃに軸着したクランク２８ｄと、前記スライダ２８ｂに長軸２８ｅで軸着したクランク２８ｆと、からなり、リンク２８ａ、クランク２８ｄ，クランク２８ｆの３者を一体に軸着してなる。
【００２５】
この運動変換手段２８は、ソレノイド１４のプランジャ１４ａが図５のように最も突出している状態と、図７のように電磁コイル１４ｂ内に引き込まれた状態のときスライダ２８ｂが機構室２６内に最も後退し、図９のようにソレノイド１４のプランジャ１４ａが移動する過程でクランク２８ｄ，２８ｆが一直線に並んだときスライダ２８ｂが最も前進する。このようなスライダ２８ｂの前進・後退の一連の動作で前記表示体２２ａの受力突片２２ｆが押し込まれ、表示体２２ａが摺動する。このとき表示体２２ａの受力突片２２ｆが低反発弾性体をガイド枠３０内で圧縮する。
【００２６】
［動作説明］
次に本発明のパチンコ機１の動作について説明する。なお、当初、変動入賞装置１６は、図４，図５のようにソレノイド１４が消磁してプランジャ１４ａが突出し、開閉部材１５が閉位置にあるものとする。
【００２７】
先ず、始動入賞口１３に遊技球が入賞すると制御装置で抽選が行われ、当たりか否かを決める。ここでもし抽選結果が外れであれば変動表示装置１２で外れのパターン画像を表示し、次の始動入賞口１３への入賞を待つ状態になる。
【００２８】
［二次抽選大当り］
一方、抽選結果が当たりである場合、さらにその当たりが大当りであるか否かの二次抽選を行うが、その抽選結果に拘わらず変動表示装置１２で当たりのパターン画像を表示する。そしてもし二次抽選の結果が大当りである場合、変動入賞装置１６の表示装置２２を構成する表示体２２ａの表示物２２ｂを点灯する。もっともこの状態では変動入賞装置１６の開閉部材１５は未だ閉位置にあるため、表示装置２２は開閉部材１５に隠れて遊技者からは見えない。
【００２９】
［運動変換手段の作動］
変動表示装置１２で当たりのパターン画像が終了すると、所定の特別遊技状態に移行し、変動入賞装置１６を作動させる。すなわち、ソレノイド１４を励磁し、プランジャ１４ａを電磁コイル１４ｂ内に引き込み、開閉部材１５を開位置に回動させる。この開閉部材１５を開運動させるプランジャ１４ａの動きにより運動変換手段２８が作動し、図５→図９→図７のようにスライダ２８ｂが一旦前進してすぐさま後退する。スライダ２８ｂの先端は前記表示体２２ａの受力突片２２ｆに接触しているから、スライダ２８ｂが前進すると受力突片２２ｆが押されて表示体２２ａが移動する。表示体２２ａの移動量は、スリットシート２２ｅの遮蔽帯２２ｄと表示物２２ｂとが重なる位置で停止するように設定されており（※表示体２２ａの移動量は運動変換手段２８のクランク２８ｄ，２８ｆの長さによって設定できる。）、従って移動直後には図１０（ｄ）のように表示物２２ｂが遮蔽帯２２ｄで隠れて見えない。よって開閉部材１５が開いたすぐには表示物２２ｂが見えないから、この時点でも遊技者は大当りか否かまだ判らない。
【００３０】
［復動手段の作動］
前記の要領で表示体２２ａが移動すると、受力突片２２ｆによって低反発弾性体がガイド枠３０内で圧縮される。従って運動変換手段２８のスライダ２８ｂが後退した直後から低反発弾性体の復元弾性が作用し、初期位置に向けた表示体２２ａの復動が始まる。もっとも低反発弾性体はゆっくりと元に戻る性質があるため、表示体２２ａの復動は緩やかであり、従ってスリットシート２２ｅのスリット２２ｃと表示物２２ｂがゆっくりと重なり、遊技者にはかすかな状態から徐々にはっきり見えてくるように見える（図１０（ｃ）参照）。なお、表示体２２ａのスライダ２８ｄによる移動量をスリット幅の偶数倍に設定しておけば、表示体２２ａが初期位置に戻るまで表示物２２ｂの見え隠れを複数回繰り返すことができる。
しかして遊技者は、変動表示装置１２の表示装置２２に点灯している表示物２２ｂを見て大当りの利益を得たことを知る。
【００３１】
なお、開閉部材１５は所定時間の経過又は予定入賞数の検出により閉位置に戻り、その際も運動変換手段２８のスライダ２８ｄが作動して表示体２２ａが移動し、復動手段２９の低反発弾性体の復元弾性で復元する、という一連の動作を行う。しかし、その動きは、開閉部材１５が閉じた状態で行われるため遊技者に見られるおそれはない。
【００３２】
特別遊技状態は、上記開閉部材１５の開閉を所定回数行って終了するが、二次抽選による大当りの利益として次回の特別遊技状態への移行確率が一時的に高められることになる。
【００３３】
［二次抽選外れ］
二次抽選の結果が外れであった場合には、表示装置２２の表示物２２ｂを点灯させないで上記の特別遊技状態を実行する。特別遊技状態中の変動入賞装置１６の作動は上記と同様であり、従って表示装置２２の表示体２２ａの移動、復動も同様に行われるが、表示物２２ｂが非点灯であるため、それを見て遊技者は二次抽選に外れたことを知る。そして、特別遊技状態が終了するとパチンコ機１は通常の遊技状態に戻る。
【００３４】
［実施形態２］
図１２（ａ）〜（ｅ）は表示装置の他の形態を示すものである。実施形態１の表示装置２２は、スリットシート２２ｅのスリット２２ｃと遮蔽帯２２ｄを同幅に設定し、そうしてできる２組の縞状表示領域の一方に表示物２２ｂを表示し、他方を空白にしたものであって、表示物２２ｂが単純に見え隠れするようになっている。
これに対し実施形態２の表示装置２２は、スリットシート２２ｅの遮蔽帯２２ｄの幅をスリット２２ｃの幅のｎ倍（ｎ＝正の整数、図１２ではｎ＝２）にしたものである。従って縞状表示領域はｎ＋１（組）（図１２では３組）になるため、図１２（ａ）に示したようにｎ組の縞状表示領域のそれぞれに異なる表示物２２ｂ，２２ｂ（図１２では１つの星と２つの星）を形成し、残りの縞状表示領域を空白とした。
【００３５】
この場合、実施形態１のように表示体２２ａを運動変換手段２８で一杯に移動させ（図１２（ｅ））、そこから復動手段２９によりゆっくり復動させると、まず図１２（ｄ）のようにスリットシート２２ｅ越しに１つの星が出現し、続いて図１２（ｃ）のように２つの星が出現する。
【００３６】
このような実施形態２の表示装置２２を使用すれば、表示体２２ａの表示物２２ｂを動画のように変化させることも可能である。すなわち、上記の例では縞状表示領域が３組あるため、連続する一連の動きを３コマ割にして各縞状表示領域に表示するのである。そうすると上記した表示体２２ａの移動により各コマが順に表示されるから、遊技者には表示物２２ｂが動画のように変化して見える。例えば図１２（ｅ）で「桜のつぼみ」を表示し、図１２（ｄ）で「五分咲きの桜」を表示し、図１２（ｃ）で「満開の桜」を表示すると、表示体２２ａの動きで桜が開花していく一連の動きが動画のように見えるのである。なお、スリットシート２２ｅの遮蔽帯２２ｄの幅を広くして縞状表示領域の組数を増やせば、それだけコマ数が増加するから表示物２２ｂの動画としての動きが滑らかになる。
【００３７】
［実施形態１，２の変形］
実施形態１，２の表示装置２２は、復動手段２９により最終的に表示体２２ａを初期位置に戻し、表示物２２ｂの発光、非発光で遊技者に当たり外れを知らせたが、表示体２２ａを復動の途中で停止させる制御手段（例えばソレノイド等で表示体２２ａの復路の途中に爪等を突出させる。）を設けて、複数組の縞状表示領域に描き分けた表示物２２ｂの表示内容で遊技者に当たり外れを知らせるようにしてもよい。
例えば、実施形態１では、２組の縞状表示領域の一方に「大当り」のような表示物２２ｂを形成し、もう一方の縞状表示領域に「残念」のような表示物２２ｂを形成し、前記制御手段で表示体２２ａの停止位置を制御するのである。この場合、大当りのときには表示体２２ａを初期位置まで復動させ、外れのときには表示体２２ａを初期位置のスリット幅１つ分手前で停止させる。
また、実施形態２も同様であるが、実施形態２では縞状表示領域がｎ＋１（組）で合計３組あるため、あまった１組の縞状表示領域には適当な表示物２２ｂを設けて変化を持たせるようにすればよい。
【００３８】
［実施形態３］
図１３〜図１６は実施形態３を示すもので、図１３は変動入賞装置の要部を示す斜視図、図１４は開閉部材が閉位置にある変動入賞装置の縦断面図、図１５は開閉部材が開位置にある変動入賞装置の縦断面図、図１６（ａ）〜（ｄ）は表示体の着色工程を示す正面図、図１６（ｅ），（ｆ）はバックライトの点灯状態を示す表示体の正面図である。
【００３９】
実施形態３の変動入賞装置１６は、表示装置２２を発光式にしたものであり、透明板に対しＡ色（例えば赤）の波長を透過しＢ色（例えば緑）の波長を透過し難い色（例えば赤）で色分けした表示物２２ｂ−１と、該透明板に対しＢ色（例えば緑）の波長を透過しＡ色（例えば赤）の波長を透過し難い色（例えば緑）で色分けした表示物２２ｂ−２と、前記透明板の裏側に重合配置され前記Ａ色（例えば赤）とＢ色（例えば緑）を選択的に発光可能としたＬＥＤによるバックライトと、から表示体２２ａを形成し、該表示体２２ａを開閉部材１５の裏側に装着してなる。なお、図１６のように表示物２２ｂ−１と表示物２２ｂ−２が一部において重なる場合には、その重なり部分Ｗを無色透明にしておく。また、表示物２２ｂ−１と表示物２２ｂ−２以外の背景は、黒系統に着色するか、又は図１６（ｄ）のようにＡ色とＢ色を塗り重ねる。
【００４０】
その他、図１３において符号３１は開閉部材１５の表示体２２ａに電力を供給するための接点である。この接点３１に対応させて案内箱２１にも接点３２を形成し、図１５のように開閉部材１５が開位置にあるときにのみ接点３１，３２同士が接触し、表示体２２ａのバックライトが点灯するようになっている。
【００４１】
この実施形態３の表示体２２ａは、バックライトでＡ色を点灯した場合、Ａ色の波長は透明部とＡ色で色分けした部分を透過し、Ｂ色で色分けした部分を透過しないため、図１６（ｅ）のように表示物２２ｂ−１のみが鮮明に表示される。また、バックライトでＢ色を点灯した場合、Ｂ色の波長は透明部とＢ色で色分けした部分を透過し、Ａ色で色分けした部分を透過しないため、図１６（ｆ）のように表示物２２ｂ−２が鮮明に表示される。従って表示物２２ｂ−１を当たりの図形とし、表示物２２ｂ−２を外れの図形としておけば、バックライトの点灯色を選択することにより遊技者に二次抽選の結果を知らせることができる。なお、実施形態３の表示物２２ｂ−１，２２ｂ−２は説明を容易にするため簡単な図形を採用したが、実際には「確変」や「大当り」或は「残念」のような文字にするとよい。
【００４２】
しかして実施形態３のように表示体２２ａを開閉部材１５の裏面に設けた場合には、表示体２２ａが遊技板４の前面より前にせり出すため、実施形態１，２に較べて表示体２２ａが遊技者から見やすくなる効果がある。
【００４３】
以上本発明を実施の形態１〜３について説明したが、もちろん本発明は上記実施形態に限定されるものではない。例えば実施形態はパチンコ機を例に説明したが、それ以外にも雀球機、アレンジボール機等、遊技球を使用して遊技を行う遊技機全般に適用可能である。
また、実施形態では変動入賞装置１６を変動表示装置１２と組み合わせて使用した例を示したが、変動表示装置１２と常に組み合わせて使用する必要はない。
また、実施形態１，２の表示体２２ａとして実施形態３の表示体２２ａを使用するようにしてもよい。
【００４４】
また、実施形態１，２の運動変換手段２８として開示したリンク機構は一つの例示であり、それ以外のリンク機構にしてもよく、また、復動手段２９も低反発弾性体に限定されない。例えば復動手段２９は、モータ駆動で表示体２２ａを復動させるものでもよく、その場合には、モータの回転をウォームギアなどで極端に減速して表示体２２ａの復動がゆっくり行われるようにすればよい。この場合、モータの回転数を正確に制御するようにすれば、前記した表示体２２ａの制御手段として機能させることも可能である。
【００４５】
また、実施形態の変動入賞装置１６は、開閉部材１５が閉位置にあるとき入賞室２０を完全に塞いで入賞を不能とする構成にしたが、開閉部材１５が閉位置にあって入賞室２０を塞いだ状態において未だ入賞可能な隙間が残るようにしてもよい。
また、実施形態１，２ではスリットシート２２ｅを固定し、表示体２２ａを摺動させるように構成したが、その逆に表示体２２ａを固定し、スリットシート２２ｅを摺動させるようにしてもよい。
また、実施形態３ではＡ色とＢ色として赤と緑を例示したが、赤と青、青と緑などそれ以外の組み合わせにしてもよい。
【図面の簡単な説明】
【００４６】
【図１】変動入賞装置の要部を示す斜視図である。
【図２】図１の分解斜視図である。
【図３】変動入賞装置の正面図である。
【図４】変動入賞装置の縦断面図である。
【図５】変動入賞装置の横断平面図である。
【図６】図４の開閉部材を開いた状態を示す変動入賞装置の縦断面図である。
【図７】図５の開閉部材を開いた状態を示す変動入賞装置の横断平面図である。
【図８】図７のＸ−Ｘ線断面図である。
【図９】図５の開閉部材の開閉途中の段階を示す変動入賞装置の横断平面図である。
【図１０】（ａ）は表示体の正面図、（ｂ）はスリットシートの正面図、（ｃ），（ｄ）は表示体にスリットシートを重ねた状態の正面図である。
【図１１】パチンコ機の正面図である。
【図１２】（ａ）は表示体の正面図、（ｂ）はスリットシートの正面図、（ｃ）〜（ｅ）は表示体にスリットシートを重ねた状態の正面図である。
【図１３】変動入賞装置の要部を示す斜視図である。
【図１４】開閉部材が閉位置にある変動入賞装置の縦断面図である。
【図１５】開閉部材が開位置にある変動入賞装置の縦断面図である。
【図１６】（ａ）〜（ｄ）は表示体の着色工程を示す正面図、（ｅ），（ｆ）はバックライトの点灯状態を示す表示体の正面図である。
【符号の説明】
【００４７】
１  …パチンコ機
４  …遊技板
１１…遊技領域
１５…開閉部材
１６…変動入賞装置
２０…入賞室
２２…表示装置
２２ａ…表示体
２２ｂ…表示物
２２ｂ−１…表示物
２２ｂ−２…表示物
２２ｃ…スリット
２２ｄ…遮蔽帯
２２ｅ…スリットシート
２８…運動変換手段
２９…復動手段
【図１】
2007117648.tif 000003
【図２】
2007117648.tif 000004
【図３】
2007117648.tif 000005
【図４】
2007117648.tif 000006
【図５】
2007117648.tif 000007
【図６】
2007117648.tif 000008
【図７】
2007117648.tif 000009
【図８】
2007117648.tif 000010
【図９】
2007117648.tif 000011
【図１０】
2007117648.tif 000012
【図１１】
2007117648.tif 000013
【図１２】
2007117648.tif 000014
【図１３】
2007117648.tif 000015
【図１４】
2007117648.tif 000016
【図１５】
2007117648.tif 000017
【図１６】
2007117648.tif 000018